(57)【特許請求の範囲】
【請求項１】
識別コードが表面に付された複数種の商品を販売する自動販売機であって、
利用者が提示した商品に付された識別コードを読み取る読取部と、
前記自動販売機に装填されている前記複数種の商品のサンプル見本に対応して設けられ、表示器をそれぞれ有する、前記利用者が選んだ商品を購入時に押下する複数の購入ボタンと、
前記自動販売機に装填されている前記複数種の商品の識別コードと、前記商品の前記購入ボタンの前記表示器の識別コードを対応付けて記憶する商品コードテーブルと、
前記商品コードテーブルにアクセスし、前記読取部が読み取った前記識別コードに対応する前記商品コードテーブルに記憶されている前記商品の前記識別コードを判別し、前記利用者が提示した提示商品を識別するとともに、前記提示商品の前記購入ボタンの前記表示器の前記識別コードを取得する識別部と、
取得した前記購入ボタンの前記表示器の前記識別コードに対応する前記表示器を点灯点滅させて、前記複数種の商品の前記サンプル見本の中から前記提示商品を前記利用者が認識できるように、前記提示商品と同じ商品の購入を前記利用者に促す表示を行う表示部と、
を備えたことを特徴とする自動販売機。
【請求項２】
請求項１に記載の自動販売機において、
前記複数種の商品の前記識別コード毎に、前記商品のカラムを対応付けて記憶する商品カラムテーブルと、
前記商品カラムテーブルにアクセスし、前記識別部が識別した前記提示商品と同じ商品に対応する前記カラムを特定し、前記同じ商品を自動的に払い出す自動払出部と、を含むことを特徴とする自動販売機。
【請求項３】
請求項２に記載の自動販売機において、
前記購入ボタンの押下を受け付ける購入指示受付部と、
前記表示部が前記商品の購入を促してから一定時間内に前記購入指示受付部が前記購入ボタンの押下を受け付けたか否かを判断する判断部と、
を含み、
前記自動払出部は、前記表示部が前記商品の購入を促してから一定時間内に、前記購入ボタンの押下を受け付けなかったと判断された場合に、前記提示商品と同じ商品を自動的に払い出すことを特徴とする自動販売機。
【請求項４】
請求項１乃至３いずれかに記載の自動販売機において、
前記利用者による商品の前記購入ボタンの押下を受け付けたとき、前記利用者が選択した前記商品を払い出す払出部と、
前記利用者が提示した前記商品の第１商品情報と、払い出された前記商品の第２商品情報とを関連付けて商品購入履歴情報として記憶する履歴情報記憶部と、を含むことを特徴とする自動販売機。
【請求項５】
請求項１乃至４いずれかに記載の自動販売機において、
前記商品は、たばこであることを特徴とする自動販売機。
【請求項６】
識別コードが表面に付された複数種の商品を販売する自動販売機であって、
利用者が提示した商品に付された識別コードを読み取る読取部と、
前記識別コード毎に、少なくとも一つの販売推奨商品を対応付けて記憶する推奨商品テーブルと、
前記推奨商品テーブルにアクセスし、前記読取部が読み取った前記識別コードに対応する販売推奨商品を判別する推奨商品判別部と、
前記推奨商品判別部が判別した前記販売推奨商品の購入を促す表示を行う表示部と、
を備えたことを特徴とする自動販売機。
【請求項７】
請求項６に記載の自動販売機において、
前記複数種の商品の購入を指示する複数の購入ボタンと、
前記購入ボタンの押下を受け付ける購入指示受付部と、
前記表示部が前記商品の購入を促してから一定時間内に前記購入指示受付部が前記購入ボタンの押下を受け付けたか否かを判断する判断部と、
前記複数種の商品の前記識別コード毎に、前記商品のカラムを対応付けて記憶する商品カラムテーブルと、
前記表示部が前記商品の購入を促してから一定時間内に、前記購入ボタンの押下を受け付けなかったと判断された場合に、前記商品カラムテーブルにアクセスし、前記識別部が識別した前記提示商品と同じ商品に対応する前記カラムを特定し、前記同じ商品を自動的に払い出す自動払出部と、
を含むことを特徴とする自動販売機。
【請求項８】
請求項６または７に記載の自動販売機において、
前記利用者が提示した前記商品の第１商品情報、払い出された前記商品の第２商品情報、および前記表示部が表示した前記販売推奨商品の第３商品情報を関連付けて推奨効果情報として記憶する推奨効果情報記憶部を備えたことを特徴とする自動販売機。
【請求項９】
請求項６乃至８いずれかに記載の自動販売機において、
前記商品は、たばこであることを特徴とする自動販売機。
【請求項１０】
販売を促進するキャンペーン対象の対象商品を含む複数種の商品を販売する自動販売機であって、
予め利用者に配布される前記自動販売機で販売される前記対象商品の識別コードが記録された記録媒体と、
前記利用者が提示した前記記録媒体に記録された前記識別コードを読み取る読取部と、
前記自動販売機に装填されている前記複数種の商品のサンプル見本に対応して設けられ、表示器をそれぞれ有する、前記利用者が選んだ商品を購入時に押下する複数の購入ボタンと、
前記識別コード毎に、少なくとも一つの前記対象商品と、前記対象商品の前記購入ボタンの前記表示器の識別コードを対応付けて記憶する対象商品コードテーブルと、
前記対象商品コードテーブルにアクセスし、前記読取部が読み取った前記識別コードに対応する前記対象商品コードテーブルに記憶されている前記対象商品の前記識別コードを判別し、前記対象商品を識別するとともに、前記対象商品の前記購入ボタンの前記表示器の前記識別コードを取得する対象商品判別部と、
取得した前記対象商品の前記購入ボタンの前記表示器の前記識別コードに対応する前記表示器を点灯点滅させて、前記対象商品の購入を前記利用者に促す表示を行う表示部と、
を備えたことを特徴とする自動販売機。
【請求項１１】
請求項１０に記載の自動販売機において、
前記記録媒体は、付加情報がさらに記録され、
前記読取部は、前記記録媒体から前記付加情報を読み取り、
前記読取部が読み取った前記付加情報を記憶する付加情報記憶部を含むことを特徴とする自動販売機。
【請求項１２】
請求項１０または１１に記載の自動販売機において、
前記記録媒体から読み取られた前記付加情報、および実際に払い出された前記商品の商品情報を関連付けて販促効果情報として記憶する販促効果情報記憶部を備えたことを特徴とする自動販売機。
【請求項１３】
請求項１０乃至１２いずれかに記載の自動販売機において、
前記複数種の商品の前記識別コード毎に、前記商品のカラムを対応付けて記憶する商品カラムテーブルと、
前記商品カラムテーブルにアクセスし、前記識別部が識別した前記提示商品と同じ商品に対応する前記カラムを特定し、前記同じ商品を自動的に払い出す自動払出部と、を含むことを特徴とする自動販売機。
【発明の詳細な説明】
【技術分野】
【０００１】
本発明は、自動販売機に関し、特に、識別コードが付された商品の販売を行う自動販売機に関する。
【背景技術】
【０００２】
所有者特性に適合した商品や過去に購入した商品の販売を、非接触カードをかざしただけで行うことが可能な従来の自動販売機装置として、たとえば特許文献１に記載されたものがある。同文献に記載された自動販売機に使用される非接触カードには、予め所有者特性などが記憶されているとともに、商品購入時に購入した商品情報が書き込まれる。過去購入の商品情報から次回購入時に、ＬＣＤ（Liquid Crystal Display）表示器に販売商品一覧をメニュー表示した状態で、商品選択することなく、連続して前回購入商品を購入できる。また、所有者の特性、たとえば、若い男性（女性）向け、新商品、購入履歴、弱視者など、に応じて商品を絞り込んだ販売商品一覧をメニュー表示させることもできる。
【０００３】
【特許文献１】特開２００４−２２７０６７号公報
【発明の開示】
【発明が解決しようとする課題】
【０００４】
ところで、近年、自動販売機において、そのフロントフェイスと呼ばれる前面パネルに多数の商品を陳列し、顧客訴求を図りながら商品を販売する新しいタイプのものが出回ってきている。このような新しいタイプの自動販売機はなるべく多くの利用者の嗜好に合った多数の商品の提供を可能とし、販売機会を増やす効果がある一方で、その多数の商品の中から利用者が目的とする商品を見つけ出すのが困難になってしまうという点で改善の余地を有していた。
【０００５】
また、近年では、利用者の嗜好やニーズの変化に迅速に対応すべく、短い商品開発サイクルで新商品が次々と生産されている。これらの新商品を、自動販売機のフロントフェイス部において、利用者にアピールし、たとえば、より高価な銘柄を提案して販売するアップセルや、関連する別銘柄を提案して販売するクロスセルを促進させる仕組みの実現が望まれる。
【０００６】
本発明は上記事情に鑑みてなされたものであり、その目的とするところは、利用者にとって商品購入時の手間を省くとともに、フロントフェイス部における訴求効果測定に有用な情報収集を可能とする自動販売機を提供することにある。
【課題を解決するための手段】
【０００７】
識別コードが表面に付された複数種の商品を販売する自動販売機であって、
利用者が提示した商品に付された識別コードを読み取る読取部と、
前記自動販売機に装填されている前記複数種の商品のサンプル見本に対応して設けられ、表示器をそれぞれ有する、前記利用者が選んだ商品を購入時に押下する複数の購入ボタンと、
前記自動販売機に装填されている前記複数種の商品の識別コードと、前記商品の前記購入ボタンの前記表示器の識別コードを対応付けて記憶する商品コードテーブルと、
前記商品コードテーブルにアクセスし、前記読取部が読み取った前記識別コードに対応する前記商品コードテーブルに記憶されている前記商品の前記識別コードを判別し、前記利用者が提示した提示商品を識別するとともに、前記提示商品の前記購入ボタンの前記表示器の前記識別コードを取得する識別部と、
取得した前記購入ボタンの前記表示器の前記識別コードに対応する前記表示器を点灯点滅させて、前記複数種の商品の前記サンプル見本の中から前記提示商品を前記利用者が認識できるように、前記提示商品と同じ商品の購入を前記利用者に促す表示を行う表示部と、
を備えたことを特徴とする自動販売機が提供される。
【０００８】
ここで、商品に付される識別コードの形態としては、商品の表面に印刷された、バーコード、２次元バーコード、ＱＲ（Quick Response）コード、あるいは、商品に付されたＲＦＩＤ（Radio Frequency Identification）タグなどのＩＣ（Integrated Circuit）タグに記録された識別コードを含む。識別コードには、たとえば、国コード、商品メーカコード、商品アイテムコード、チェックデジットが含まれる。
【０００９】
本発明における「利用者」とは、本発明に係る自動販売機を利用して商品を購入する者をいう。また、本発明における「商品」とは、様々な形態の商品を含み、たとえば、たばこ、酒類、飲料、食料品などである。特に、本発明における自動販売機は、多ブランド多品種の銘柄の商品が存在し、かつ同じ銘柄の商品を利用者が繰り返し購入するものに有用である。
【００１０】
また、「商品の購入を促す表示」とは、たとえば、商品サンプルなどの近傍や商品購入ボタン内に設けられたＬＥＤ（Light Emitting Diode）表示器などを点灯点滅させることである。
【００１１】
この発明によれば、複数種の商品を販売する自動販売機において、利用者が持参した商品のバーコードなどの識別コードを提示するだけで、識別コードを読み取り、提示された商品の購入が簡便に行えるよう利用者をサポートすることができるので、商品購入時の手間を省くことができ、利便性がよい。
【００１２】
上記自動販売機において、前記複数種の商品の前記識別コード毎に、前記商品のカラムを対応付けて記憶する商品カラムテーブルと、前記商品カラムテーブルにアクセスし、前記識別部が識別した前記提示商品と同じ商品に対応する前記カラムを特定し、前記同じ商品を自動的に払い出す自動払出部と、を含むことができる。
【００１３】
この構成によれば、利用者が持参した商品と同じ銘柄の商品を自動的に払い出すことができるので、利便性がよい。
【００１４】
上記自動販売機において、前記購入ボタンの押下を受け付ける購入指示受付部と、前記表示部が前記商品の購入を促してから一定時間内に前記購入指示受付部が前記購入ボタンの押下を受け付けたか否かを判断する判断部と、を含むことができ、前記自動払出部は、前記表示部が前記商品の購入を促してから一定時間内に、前記購入ボタンの押下を受け付けなかったと判断された場合に、前記提示商品と同じ商品を自動的に払い出すことができる。
【００１５】
この構成によれば、他の商品の購入を利用者が選択することも可能としつつ、他の商品を購入しなかった場合には、自動的に提示商品と同じ銘柄の商品を自動的に払い出すことができるので、利便性がよい。
【００１６】
上記自動販売機において、前記利用者による商品の前記購入ボタンの押下を受け付けたとき、前記利用者が選択した前記商品を払い出す払出部と、前記利用者が提示した前記商品の第１商品情報と、払い出された前記商品の第２商品情報とを関連付けて商品購入履歴情報として記憶する履歴情報記憶部と、を含むことができる。
【００１７】
この構成によれば、利用者の商品購入履歴情報を自動的に収集することができ、活用可能となる。
【００１８】
上記自動販売機において、前記商品は、たばこであることが好ましい。たばこは利用者が常に携帯している商品であり、かつ同じ銘柄の商品を繰り返し購入するものであるので、特に有用である。すなわち、自動販売機において、利用者が常時携行している主喫銘柄のたばこのバーコードをかざすだけで購入ボタンの操作などせずに購入できるのは利便性がよい。また、たばこは多ブランド多品種の銘柄の商品であるので、自動販売機で販売されている多数の商品サンプルの中から目的の商品の購入ボタンを利用者が探す面倒を省くことができる。さらに、たばこは、その形状が立方体であり、平面上にバーコードが付されるためにその読み取りが容易である点からも読取部を単純な構造にすることが可能であり適用しやすいという利点がある。
【００１９】
本発明によれば、識別コードが表面に付された複数種の商品を販売する自動販売機であって、
利用者が提示した商品に付された識別コードを読み取る読取部と、
前記識別コード毎に、少なくとも一つの販売推奨商品を対応付けて記憶する推奨商品テーブルと、
前記推奨商品テーブルにアクセスし、前記読取部が読み取った前記識別コードに対応する販売推奨商品を判別する推奨商品判別部と、
前記推奨商品判別部が判別した前記販売推奨商品の購入を促す表示を行う表示部と、
を備えたことを特徴とする自動販売機が提供される。
【００２０】
ここで、「販売推奨商品の購入を促す表示」とは、たとえば、販売推奨商品の商品サンプルなどの近傍や商品購入ボタン内に設けられたＬＥＤ表示器などを点灯点滅させたり、液晶表示部などに販売推奨商品の広告映像やメッセージなどを表示させたりすることである。
【００２１】
この発明によれば、複数種の商品を販売する自動販売機において、利用者が提示した商品のバーコードなどの識別コードを読み取り、提示された商品に関連付けられた販売推奨商品の販売を促進させることが可能となる。これにより、たとえば、たばこなどの主喫銘柄のクロスセルやアップセルを促すことができる。
【００２２】
上記自動販売機において、前記利用者が提示した前記商品の第１商品情報、払い出された前記商品の第２商品情報、および前記表示部が表示した前記販売推奨商品の第３商品情報を関連付けて推奨効果情報として記憶する推奨効果情報記憶部を備えることができる。
【００２３】
この構成によれば、フロントフェイス部において商品を推奨した結果、利用者がどの商品を購入したかなどの情報、すなわち訴求効果測定に有用な情報を自動的に収集することでき、企業などで活用することができる。
【００２４】
本発明によれば、販売を促進するキャンペーン対象の対象商品を含む複数種の商品を販売する自動販売機であって、
予め利用者に配布される前記自動販売機で販売される前記対象商品の識別コードが記録された記録媒体と、
前記利用者が提示した前記記録媒体に記録された前記識別コードを読み取る読取部と、
前記自動販売機に装填されている前記複数種の商品のサンプル見本に対応して設けられ、表示器をそれぞれ有する、前記利用者が選んだ商品を購入時に押下する複数の購入ボタンと、
前記識別コード毎に、少なくとも一つの前記対象商品と、前記対象商品の前記購入ボタンの前記表示器の識別コードを対応付けて記憶する対象商品コードテーブルと、
前記対象商品コードテーブルにアクセスし、前記読取部が読み取った前記識別コードに対応する前記対象商品コードテーブルに記憶されている前記対象商品の前記識別コードを判別し、前記対象商品を識別するとともに、前記対象商品の前記購入ボタンの前記表示器の前記識別コードを取得する対象商品判別部と、
取得した前記対象商品の前記購入ボタンの前記表示器の前記識別コードに対応する前記表示器を点灯点滅させて、前記対象商品の購入を前記利用者に促す表示を行う表示部と、
を備えたことを特徴とする自動販売機が提供される。
【００２５】
ここで、記録媒体とは、たとえば、配布された識別コード付きのＤＭやチラシ、カード、あるいは、企業のホームページから取得した識別コードを印刷した用紙を含むことができる。
【００２６】
この発明によれば、商品に付された識別コード以外にも、予め利用者に配布されたＤＭなどの記録媒体に記録された識別コードから商品情報を取得して販売を促進させることが可能となる。たとえば、予めキャンペーン対象の商品などの識別コードを記録した記録媒体を配布することによって、自動販売機におけるキャンペーン対象の商品の購入を促進させることが可能となる。
【００２７】
上記自動販売機において、前記記録媒体は、付加情報がさらに記録され、前記読取部は、前記記録媒体から前記付加情報を読み取ることができ、前記読取部が読み取った前記付加情報を記憶する付加情報記憶部を含むことができる。
【００２８】
ここで、付加情報とは、たとえば、記録媒体を配布した会員コード、地域コード、対象性別、配布期間など様々な情報を含むことができる。この構成によれば、ＤＭなどに付加情報を記録し、自動販売機にて自動的に情報を自動的に収集することが可能となる。
【００２９】
上記自動販売機において、前記記録媒体から読み取られた前記付加情報、および実際に払い出された前記商品の商品情報を関連付けて販促効果情報として記憶する販促効果情報記憶部を備えることができる。
【００３０】
この構成によれば、ＤＭなどによる販売促進の効果測定を行うための情報を自動的に収集することが可能となる。
【００３１】
以上、本発明の構成について説明したが、これらの各構成の任意の組合せや、本発明の表現を方法、装置、システム、記録媒体、コンピュータプログラムなどの間で変換したものもまた、本発明の態様として有効である。
【発明の効果】
【００３２】
本発明によれば、利用者にとって商品購入時の手間を省くとともに、フロントフェイス部における訴求効果測定に有用な情報収集を可能とする自動販売機が提供される。
【発明を実施するための最良の形態】
【００３３】
以下、本発明の実施の形態について、図面を用いて説明する。尚、すべての図面において、同様な構成要素には同様の符号を付し、適宜説明を省略する。
【００３４】
（第一の実施の形態）
図１は、本発明の実施の形態に係る自動販売機の構成を示す概略機能ブロック図である。本実施形態の自動販売機１００は、識別コード（バーコード１０２）が表面に付された複数種の商品を販売する自動販売機１００であって、利用者が提示した商品１０４に付された識別コード（バーコード１０２）を読み取る読取部（コード読取部１１０）と、自動販売機１００に装填されている複数種の商品の識別コードを記憶する商品コードテーブル１１２と、商品コードテーブル１１２にアクセスし、読取部（コード読取部１１０）が読み取った識別コード（バーコード１０２）に対応する商品を判別し、利用者が提示した商品１０４を識別する識別部１１４と、識別部１１４が識別した商品の購入を促す表示を行う表示部（表示制御部１１６および表示部１１８）と、を備える。
【００３５】
本発明において、「利用者」とは、本発明に係る自動販売機を利用して商品を購入する者をいう。また、本発明における「商品」とは、様々な形態の商品を含み、たとえば、たばこ、酒類、飲料、食料品などである。特に、本発明における自動販売機は、多ブランド多品種の銘柄の商品が存在し、かつ同じ銘柄の商品を利用者が繰り返し購入するものに有用である。
【００３６】
特に、本発明は、たばこの自動販売機に好適である。すなわち、たばこの自動販売機において、利用者が常時携行している主喫銘柄のたばこのバーコードをかざすだけで購入ボタンの操作などせずに購入できるので利便性がよい。また、たばこは多ブランド多品種の銘柄の商品があるので、自動販売機で展示されている多数の商品サンプルの中から目的の商品の購入ボタンを利用者が探すのは通常面倒であるが、本発明によれば、その手間を省くことができる。さらに、たばこはその形状が立方体であり、平面上にバーコードが付されているためにその読み取りが容易である点からも読取部を単純な構造にすることが可能であり適用しやすいという利点がある。
【００３７】
また、「商品の購入を促す表示」とは、たとえば、購入を促したい銘柄の商品サンプルなどの近傍や商品購入ボタン内に設けられたＬＥＤ（Light Emitting Diode）表示器などを点灯点滅させることである。
【００３８】
また、自動販売機１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００３９】
詳細には、自動販売機１００は、コード読取部１１０と、商品コードテーブル１１２と、識別部１１４と、表示制御部１１６と、表示部１１８と、商品購入ボタン１２０と、代金受付部１２２と、商品購入受付部１２４と、装填商品情報記憶部（図中、「装填商品情報」と示す）１２６と、精算処理部１２８と、払出部１３０と、を備えている。なお、図１において、本発明の本質に関わらない部分の構成については省略してある。
【００４０】
さらに、図２は、本実施形態の自動販売機１００を示す正面図である。図２に示すように、自動販売機１００は、サンプル見本部３００と、札投入口３１０と、釣銭戻しレバー３１２と、硬貨投入口３１４と、バーコード読取部３１６と、液晶表示部３１８と、釣銭口３２０と、商品搬出口３２２と、を含む。
【００４１】
サンプル見本部３００は、複数の販売商品のサンプル見本３０２と、複数のサンプル見本３０２に対応して設けられた複数の購入ボタン３０４と、を含む。利用者は、商品を購入する際、たとえば、札投入口３１０または硬貨投入口３１４に金銭を投入し、サンプル見本３０２を参照し、複数のサンプル見本３０２の中から購入する商品を選択し、その商品の購入ボタン３０４を押下することにより商品を購入し、商品搬出口３２２に払い出された商品を受け取ることができる。必要に応じて、釣銭戻しレバー３１２を操作し、釣銭口３２０から釣銭を受け取る。
【００４２】
上述は、従来の商品購入手順であるが、本実施形態においては、利用者は、たとえば、札投入口３１０または硬貨投入口３１４に金銭を投入し、バーコード読取部３１６に所持しているたばこなどの商品のバーコードをかざす。それにより、該当する銘柄の商品購入ボタン１２０が点灯点滅するので、利用者は、サンプル見本部３００に複数展示されている複数のサンプル見本３０２の中からかざした商品と同じ銘柄の商品を直ぐに認識することができ、その商品の購入ボタン３０４を押下するか、あるいは、一定時間経過後、自動的にその商品が商品搬出口３２２に払い出され、受け取ることができる。
【００４３】
図１に戻り、コード読取部１１０は、利用者が持参した商品１０４、たとえば、たばこのバーコード１０２を図２のバーコード読取部３１６にかざすと、かざされた商品１０４に付されたバーコード１０２を読み取る。
【００４４】
ここで、商品に付される識別コードの形態としては、商品の表面に印刷されたバーコードを例として説明するが、これに限定されない。たとえば、識別コードは、２次元バーコード、ＱＲコード、あるいは、商品に付されたＲＦＩＤタグなどのＩＣタグに記録された識別コードを含むことができる。識別コードには、たとえば、国コード、商品メーカコード、商品アイテムコード、チェックデジットが含まれる。読み取られた識別コードは、識別部１１４に受け渡される。
【００４５】
本実施形態では、コード読取部１１０は、商品１０４に付されたバーコード１０２を各種方式、たとえばＣＣＤスキャン方式やレーザスキャン方式などによって読み取り可能な構成であればよく、本発明の本質ではないので詳細な説明は省略する。なお、識別コードがＲＦＩＤタグなどに記録されている場合は、コード読取部１１０は、ＲＦＩＤタグを読み取り可能な構成とすればよい。また、本実施形態では、コード読取部１１０のバーコード読取部３１６は、図２に示すように自動販売機１００の前面パネル上に設けられている構成としているがこれに限定されない。たとえば、自動販売機１００に商品１０４を載置する載置台を設け、商品１０４を載置台に載置した状態で、商品１０４に付されているバーコード１０２を読み取り可能な位置にコード読取部１１０の読取面を設けることもできる。
【００４６】
商品コードテーブル１１２は、図３に示すように、自動販売機１００に装填されている複数種の商品の銘柄毎の商品コードと、その商品コードに対応する、たとえば点滅点灯される表示器の表示器コードが記憶されている。ここで「商品コード」とは、商品の銘柄を識別可能な商品アイテムコードなどであり、本実施形態においては、５桁の数値で示される。また、本実施形態では、表示器とは、たとえば、商品購入ボタン１２０内に設けられたＬＥＤ表示器であり、銘柄毎に設けられた商品購入ボタン１２０内のＬＥＤ表示器を示す表示器コードＬ１、Ｌ２、Ｌ３などのコードで示される。
【００４７】
図１に戻り、識別部１１４は、商品コードテーブル１１２にアクセスし、コード読取部１１０が読み取ったバーコード１０２に対応する商品銘柄の商品コードを判別し、利用者が提示した商品１０４の銘柄を識別するとともに、対応する表示器コードを取得し、表示制御部１１６に受け渡す。
【００４８】
表示制御部１１６は、識別部１１４が識別した商品銘柄に対応する表示器コードを受け取り、表示部１１８に点滅点灯を指示する。表示部１１８は、たとえば、商品サンプル見本などの近傍や商品購入ボタン１２０内に設けられたＬＥＤ表示器などであり、表示制御部１１６の制御により、所定のパターンで点滅点灯する。
【００４９】
商品購入ボタン１２０は、自動販売機１００の前面パネル上に設けられ、利用者が商品購入時に押下する操作ボタンである。本実施形態において、商品購入ボタン１２０の内部には、ＬＥＤ表示器が設けられ、表示制御部１１６により制御されて点滅点灯する。
【００５０】
代金受付部１２２は、たとえば、図２の硬貨投入口３１４に投入された硬貨や札投入口３１０に投入された紙幣などの金銭や、図示されないカード投入口または媒体アクセス部に、投入またはかざされたプリペイドカードやクレジットカードなどによる代金の支払いを受け付ける。商品購入受付部１２４は、利用者が押下した商品購入ボタン１２０に基づいて、選択された商品を受け付ける。
【００５１】
装填商品情報記憶部１２６は、図４に示すように、商品コード毎に、商品が装填されているカラムおよび商品の価格などの情報が記憶されている。図１に戻り、精算処理部１２８は、利用者が選択した商品の代金の精算処理を行う。なお、精算処理部１２８は、たとえば商品の代金に対して投入金額に不足がある場合の処理や釣銭の支払い処理なども行うが、本発明の本質ではないので、以後の説明の中でも説明を省略する。払出部１３０は、精算処理部１２８で精算処理された銘柄の販売商品１３２を図２の商品搬出口３２２に払い出す。
【００５２】
また、本実施形態の自動販売機１００は、図１の構成に加え、図５に示されるタイマ部１３４および判断部１３６を含むことができる。タイマ部１３４は、識別部１１４が、利用者がかざした商品１０４の銘柄を特定し、表示制御部１１６に対して指示が行われてから一定時間を計時する
【００５３】
判断部１３６は、タイマ部１３４が計時している一定時間内に、商品購入受付部１２４が商品購入ボタン１２０の押下を受け付けたか否かを判断する。判断部１３６が、一定時間内に商品購入ボタン１２０の押下を受け付けなかったと判断した場合、利用者が提示した商品１０４と同じ銘柄の商品を自動的に払い出すために、精算処理部１２８に商品１０４と同じ銘柄の商品を購入するものとして精算処理を指示する。
【００５４】
このように構成された本実施形態の自動販売機１００の動作について、以下に説明する。図６は、本実施形態の自動販売機１００の動作の一例を示すフローチャートである。以下、図１乃至図６を用いて説明する。
【００５５】
本処理は、利用者が図２の札投入口３１０または硬貨投入口３１４に金銭を投入したり、あるいは、プリペイドカードやクレジットカードなどを挿入またはかざしたりすることにより、図１の代金受付部１２２が代金を受け付けることにより開始される。代金受付部１２２が代金を受け付けると、コード読取部１１０はバーコードの読み取り待ち状態となる。そして、利用者が持参した商品１０４を図２のバーコード読取部３１６にかざし（ステップＳ１１）、図１のコード読取部１１０が商品１０４に付されたバーコード１０２を読み取り（ステップＳ１３）、識別部１１４に通知する。識別部１１４は、図３の商品コードテーブル１１２にアクセスし、コード読取部１１０が読み取ったバーコードに含まれる商品コードに対応する表示器コードを特定する（ステップＳ１５）。
【００５６】
そして、図１の識別部１１４が特定した表示器コードに従って、表示制御部１１６が表示部１１８を制御し、該当する商品購入ボタン１２０を点滅点灯させる（ステップＳ１７）。これにより、利用者は複数のサンプル見本３０２の中から目的の商品をすぐに認識することができる。このとき、図５のタイマ部１３４は、一定時間の計時を開始する。
【００５７】
図５の判断部１３６は、図１の商品購入受付部１２４が商品購入ボタン１２０の押下を受け付けたか否かを判定する（ステップＳ１９）。商品購入ボタン１２０の押下を受け付けた場合（ステップＳ１９のＹＥＳ）、ステップＳ２３に進み、精算処理部１２８が代金の精算処理を行うとともに、払出部１３０が商品を図２の商品搬出口３２２に払い出す。
【００５８】
また、ステップＳ１９において、商品購入ボタン１２０の押下は、一定時間監視され（ステップＳ２１）、一定時間経過した時（ステップＳ２１のＹＥＳ）、ステップＳ２３に進む。これにより、一定時間内に商品購入ボタン１２０の押下を商品購入受付部１２４が受け付けなかった場合、自動的に利用者が提示した商品１０４と同じ銘柄の販売商品１３２を払い出すことが可能となる。
【００５９】
以上説明したように、本実施形態の自動販売機１００によれば、複数種の商品を販売する自動販売機１００において、利用者が持参した商品１０４のバーコード１０２などの識別コードを提示するだけで、識別コードを読み取り、提示された商品１０４の購入が簡便に行えるよう利用者をサポートすることができるので、商品購入時の手間を省くことができ、利便性がよい。
【００６０】
（第二の実施の形態）
図７は、本発明の実施の形態に係る自動販売機１００の要部構成を示す機能ブロック図である。なお、本実施形態の自動販売機１００は、上記実施形態の自動販売機１００と同様な構成を有し、図７において、図１と異なる構成についてのみ示してある。本実施形態は、上記実施形態とは、利用者が提示した商品の銘柄と同じグループに分類される他の銘柄の商品を含む複数の銘柄の商品などの推奨商品の購入を促す点で相違している。
【００６１】
本実施形態の自動販売機１００は、識別コードが表面に付された複数種の商品を販売する自動販売機１００であって、利用者が提示した商品１０４に付された識別コード（バーコード１０２）を読み取る読取部（コード読取部１１０）と、識別コード毎に、少なくとも一つの販売推奨商品を対応付けて記憶する推奨商品テーブル（分類テーブル１４２および表示器テーブル１４４）と、推奨商品テーブル（分類テーブル１４２および表示器テーブル１４４）にアクセスし、読取部（コード読取部１１０）が読み取った識別コードに対応する販売推奨商品を判別する推奨商品判別部（選別部１４０）と、判別部（選別部１４０）が判別した販売推奨商品の購入を促す表示を行う表示部（表示制御部１１６および表示部１１８）と、を備える。
【００６２】
また、他の実施形態においては、「販売推奨商品の購入を促す表示」とは、利用者が提示した商品の銘柄と同じグループに分類される銘柄の商品を推奨商品として、それらの商品サンプルなどの近傍や商品購入ボタン内に設けられたＬＥＤ表示器などを点灯点滅させることである。推奨商品は、たとえば、ある銘柄のアップセル対象あるいはクロスセル対象の商品とすることもできる。
【００６３】
図７に示すように、本実施形態の自動販売機１００は、図１の商品コードテーブル１１２および識別部１１４に替えて、選別部１４０と、分類テーブル１４２と、表示器テーブル１４４と、をさらに含む。
【００６４】
選別部１４０は、図８に示す分類テーブル１４２にアクセスし、図１のコード読取部１１０が読み取ったバーコード１０２の商品コードに対応する分類コードを取得する。さらに、選別部１４０は、図９に示す表示器テーブル１４４にアクセスし、取得した分類コードに対応する表示器コードを取得する。
【００６５】
たとえば、コード読取部１１０が読み取ったバーコード１０２の商品コードが「１２３４５」の場合、分類コードは「０１」となり、３つの表示器コード「Ｌ１、Ｌ２、Ｌ８」が取得され、表示制御部１１６に通知される。表示制御部１１６は、３つの表示器コードに対応する商品購入ボタン１２０内のＬＥＤ表示器を点滅点灯制御するように表示部１１８に指示する。図８に示す分類テーブル１４２においては、商品コードが「１２３４５」と「１２４５６」の銘柄の商品は同じグループに分類されており、いずれかの銘柄の商品が利用者によってかざされたとき、同じグループに分類される商品「１２３４５」、「１２４５６」などの表示器が同時に点滅点灯制御される。
【００６６】
このように構成された本実施形態の自動販売機１００の動作について、以下に説明する。図１０は、本実施形態の自動販売機１００の動作の一例を示すフローチャートである。図１０において、ステップＳ１１、ステップＳ１３、ステップＳ１９、およびステップＳ２３は、図６と同様であるので、同じ符号を付して、詳細な説明は省略する。以下、図１、図７乃至図１０を用いて説明する。
【００６７】
ステップＳ１３で読み取られたバーコードから商品コードが通知され、図７の選別部１４０は、図８の分類テーブル１４２にアクセスし、商品コードから分類コードを取得し、さらに図９の表示器テーブル１４４にアクセスし、分類コードから対応する表示器コードを特定する（ステップＳ３１）。
【００６８】
そして、図１の選別部１４０が特定した同じ分類の複数の表示器コードに従って、表示制御部１１６が表示部１１８を制御し、該当する複数の商品購入ボタン１２０を点滅点灯させる（ステップＳ３３）。
【００６９】
たとえば、同じブランドの異なる銘柄のたばこを同じ分類に指定しておけば、異なる銘柄のたばこであっても同じブランドであれば、同時に購入を促す表示を行うことができる。これにより、同じブランド内の異なる銘柄への興味を利用者が持つことが可能となり、同ブランド内の新しい銘柄の商品の発売時などに、新商品への移行を促すことが可能となる。
【００７０】
上記実施形態では、図８の分類コードを用いて、商品コードと表示器コードを対応付ける構成について説明したが、これに限定されない。たとえば、商品コード毎に、少なくとも一つの表示器コードを対応付けて記憶するテーブルを用いて、購入を促す表示を行うこともできる。すなわち図３の商品コードテーブル１１２において、表示器コードの欄に複数の表示器コードを対応付けて記憶することもできる。この際、図３の説明では、その商品の購入ボタン内のＬＥＤ表示器の表示器コードを対応付けていたが、別の商品の表示器コードを対応付けることもできる。この構成によれば、ある銘柄から他の銘柄への移行を促すことができる。
【００７１】
以上説明したように、本実施形態の自動販売機１００によれば、利用者が提示した商品１０４のバーコード１０２などの識別コードを読み取り、提示された商品１０４に関連付けられた販売推奨商品などの販売を促進させることが可能となる。これにより、たとえば、たばこなどの主喫銘柄のクロスセルやアップセルを促すことができる。
【００７２】
（第三の実施の形態）
図１１は、本発明の実施の形態に係る自動販売機の要部構成を示す図である。本実施形態の自動販売機は、上記実施の形態とは、識別部１１４から取得した利用者が提示した商品の商品コードと、精算処理部１２８から取得した実際に利用者が購入した商品の商品コードと、を対応付けて記憶する点で相違している。これにより、利用者の商品購入履歴情報を自動的に収集することができ、活用可能となる。
【００７３】
本実施形態の自動販売機１００は、上記実施形態の構成に加え、履歴取得部１５０と、履歴情報記憶部１５２と、送信部１５４と、をさらに含む。
【００７４】
履歴取得部１５０は、図１の識別部１１４が識別した利用者が提示した商品の商品コードと、図１の精算処理部１２８が図１の払出部１３０に払出指示した商品の商品コードと、を取得し、履歴情報記憶部１５２に対応付けて記憶する。図１２に履歴情報記憶部１５２の構造の一例を示す。履歴情報記憶部１５２には、図１の識別部１１４が商品コードを識別した日時、あるいは、図１の精算処理部１２８が図１の払出部１３０に商品の払出を指示した日時など、所定のタイミングで取得した日時１５６と、図１の識別部１１４が識別した商品の購入商品コード１５８と、図１の精算処理部１２８が図１の払出部１３０に払出指示した購入商品コード１５８と、が対応付けて記憶されている。
【００７５】
図１１に戻り、送信部１５４は、履歴情報記憶部１５２に記憶されている履歴情報を外部に送信する。送信部１５４は、インターネットなどのネットワークや、赤外線通信などを用いて外部に送信することができる。
【００７６】
以上説明したように、本実施形態の自動販売機１００によれば、利用者に購入時に利便性を提供しつつ、利用者が、前回購入したと思われる商品から次にどのような商品を購入したかの履歴情報を収集することができ、企業などで活用することができる。
【００７７】
（第四の実施の形態）
図１３は、本発明の実施の形態の自動販売機１００の要部構成を示す機能ブロック図である。本実施形態の自動販売機１００は、上記実施形態の自動販売機１００とは、利用者が提示した商品に関連付けられた推奨商品の購入を画像やメッセージなどで促す構成を有する点で相違する。なお、図１３は、図１に示された上記実施形態の自動販売機１００と同じ構成については省略してある。
【００７８】
本実施形態の自動販売機１００は、識別コードが表面に付された複数種の商品を販売する自動販売機１００であって、利用者が提示した商品１０４に付された識別コード（バーコード１０２）を読み取る読取部（コード読取部１１０）と、識別コード（バーコード１０２）毎に、少なくとも一つの販売推奨商品を対応付けて記憶する推奨商品テーブル（推奨商品テーブル１６２）と、推奨商品テーブル１６２にアクセスし、読取部（コード読取部１１０）が読み取った識別コード（バーコード１０２）に対応する販売推奨商品を判別する推奨商品判別部（判別部１６０）と、推奨商品判別部（判別部１６０）が判別した販売推奨商品の購入を促す表示を行う表示部（ＬＥＤ表示器１６４およびＬＣＤ表示器１６６）と、を備える。
【００７９】
ここで、「販売推奨商品の購入を促す表示」とは、たとえば、販売推奨商品の商品サンプルなどの近傍や商品購入ボタン内に設けられたＬＥＤ表示器などを点灯点滅させたり、液晶表示部などに販売推奨商品の広告映像やメッセージなどを表示させたりすることである。なお、購入を促す表示は、たとえば、音声出力であってもよい。その場合、自動販売機１００は、スピーカなどの音声出力部（不図示）と、音声出力部を制御する音声制御部（不図示）と、を含むことができる。
【００８０】
詳細には、自動販売機１００は、判別部１６０と、推奨商品テーブル１６２と、ＬＥＤ表示器１６４と、ＬＣＤ表示器１６６と、画像ファイル記憶部１６８と、表示動作テーブル１７０と、を含むことができる。
【００８１】
図１４は、推奨商品テーブル１６２の構造の一例を示す図である。推奨商品テーブル１６２は、各商品コードに分類コードを対応付けて記憶し、各商品を分類している。図１５は、表示動作テーブル１７０の構造の一例を示す図である。表示動作テーブル１７０は、分類コード毎に、ＬＥＤ表示器１６４の点滅点灯制御対象の表示器コードおよびＬＣＤ表示器１６６に表示させる画像ファイル記憶部１６８に記憶されている画像ファイル、ファイル名などが対応付けて記憶されている。
【００８２】
ＬＥＤ表示器１６４は、たとえば、図１６（ａ）に示すように、各サンプル見本２１０ａ、２１０ｂ、・・・、２１０ｊの近傍に設けられた各ＬＥＤ表示器２１２ａ、２１２ｂ、・・・、２１２ｊと、各購入ボタン２２０ａ、２２０ｂ、・・・、２２０ｊ内に設けられたＬＥＤ表示器を含む。
【００８３】
ＬＣＤ表示器１６６は、図２の液晶表示部３１８を含み、たとえば、図１６（ｂ）や図１６（ｃ）に示すような推奨商品画面２００および商品広告画面２３０などを表示する。
【００８４】
このように構成された自動販売機１００の動作について、以下に説明する。図１７は、本実施形態の自動販売機の動作の一例を示すフローチャートである。以下、図１３乃至図１７を用いて説明する。なお、図１７において、ステップＳ１１、ステップＳ１３、ステップＳ１９、およびステップＳ２３は、図６と同様であるので、同じ符号を付して、詳細な説明は省略する。
【００８５】
ステップＳ１３で読み取られたバーコードから商品コードが通知され、図１３の判別部１６０は、図１４の推奨商品テーブル１６２にアクセスし、商品コードから分類コードを判別する（ステップＳ４１）。分類コードは表示制御部１１６に受け渡され、表示制御部１１６は、図１５の表示動作テーブル１７０にアクセスし、分類コードから対応する表示器コードを特定し、ＬＥＤ表示器１６４の該当するＬＥＤ表示器を点滅点灯する（ステップＳ４３）。
【００８６】
たとえば、利用者は、銘柄「ＡＢＣＤ」を所持しており、コード読取部１１０にバーコードをかざし、商品コード「１２３４５」が読み取られたものとする。ステップＳ１３で読み取られたバーコードの商品コード「１２３４５」により、図１４の推奨商品テーブル１６２から分類コードは「０１１」となり、さらに図１５の表示動作テーブル１７０から５つのＬＥＤ表示器の点滅点灯が開始されることとなる。図１６（ａ）に示すように、ＬＥＤ表示器２１２ａ、２１２ｂ、２１２ｃおよび購入ボタン２２０ｂおよび２２０ｃ内のＬＥＤ表示器が点滅点灯する。
【００８７】
さらに、ステップＳ４３に続いて、表示制御部１１６は、表示動作テーブル１７０にアクセスし、ステップＳ４１で判別した分類コードに対応するＬＣＤ表示器１６６に表示する画像ファイル名を取得し、画像ファイル記憶部１６８から画像ファイルを読み出して、ＬＣＤ表示器１６６上に表示する。
【００８８】
たとえば、図１５の表示動作テーブル１７０に示すように、上記の商品コード「１２３４５」の場合、分離コード「０１１」に対応する「動画ａ」がＬＣＤ表示器１６６上に表示されることとなる。ここでは、たとえば、図１６（ｂ）に示すような推奨商品画面２００が表示される。
【００８９】
このように、自動販売機１００のサンプル見本部３００において、図１６（ａ）に示すように、銘柄「ＡＢＣＤ」と同ブランドの銘柄「ＡＢＣＤ  ｓｕｐｅｒ」の購入ボタン２２０ｂ、２２０ｃ内のＬＥＤ表示器が点滅点灯し、銘柄「ＡＢＣＤ」から新製品の銘柄「ＡＢＣＤ  ｓｕｐｅｒ」へのアップセルを促す表示を行うこととなる。同時に、図１６（ｂ）に示すように推奨商品画面２００にも、銘柄「ＡＢＣＤ」から新製品の銘柄「ＡＢＣＤ  ｓｕｐｅｒ」へのアップセルを促す表示を行うことができる。
【００９０】
また、図１６（ｃ）に示す商品広告画面２３０のように、銘柄「ＸＹＺ」や「ＸＹＺ  ｌｉｇｈｔ」などの商品が提示された場合に、関連する銘柄の商品広告を表示することもできる。
【００９１】
この構成によれば、複数種の商品を販売する自動販売機において、利用者が提示した商品のバーコードなどの識別コードを読み取り、提示された商品に関連付けられた販売推奨商品の販売を促進させることが可能となる。これにより、たとえば、たばこなどの主喫銘柄のクロスセルやアップセルを促すことができる。
【００９２】
（第五の実施の形態）
図１８は、本発明の実施の形態に係る自動販売機の要部構成を示す機能ブロック図である。本実施形態の自動販売機は、上記第四の実施の形態とは、利用者が提示した商品、販売推奨した商品、および実際に購入された商品の情報を記憶する点で相違する。これにより、利用者に対する自動販売機による販売促進の効果を測定するための情報を自動的に収集することができ、活用可能となる。
【００９３】
本実施形態の自動販売機１００は、上記実施形態の構成に加え、情報取得部１８０と、効果情報記憶部１８２と、送信部１８４と、をさらに含む。
【００９４】
情報取得部１８０は、図１３の判別部１６０から利用者が提示した商品の商品コードと、図１の精算処理部１２８から図１の払出部１３０が実際に払出指示した商品の商品コードと、表示制御部１１６がＬＥＤ表示器１６４やＬＣＤ表示器１６６に販売推奨商品の表示を指示した指示内容と、を取得し、効果情報記憶部１８２に記憶する。ここで、指示内容は、分類コードや、販売推奨商品の商品コードあるいは、表示器コード、画像ファイル名などを含むことができる。
【００９５】
効果情報記憶部１８２は、利用者が商品を提示した日時、利用者が提示した商品コード、販売推奨商品コード、指示内容、実際に販売された商品コードなどの効果情報を記憶する。送信部１８４は、効果情報記憶部１８２に記憶されている効果情報を外部に送信する。送信部１８４は、インターネットなどのネットワークや、赤外線通信などを用いて外部に送信することができる。
【００９６】
以上説明したように、本実施形態の自動販売機１００によれば、利用者に購入時に利便性を提供しつつ、フロントフェイス部において商品を推奨した結果、利用者がどの商品を購入したかなどの情報、すなわち訴求効果測定に有用な情報を自動的に収集することができ、企業などで活用することができる。
【００９７】
以上、図面を参照して本発明の実施形態について述べたが、これらは本発明の例示であり、上記以外の様々な構成を採用することもできる。なお、本発明において利用者に関する情報を取得、利用する場合は、これを適法に行うものとする。
【００９８】
たとえば、上記実施の形態では、商品に付されたバーコードなどの識別コードを読み取る構成としたが、これに限定されない。たとえば、他の実施の形態において、複数種の商品を販売する自動販売機であって、予め利用者に配布される商品の広告および、その商品の識別コードが記録された記録媒体と、利用者が提示した記録媒体に記録された識別コードを読み取る読取部と、識別コード毎に、少なくとも一つの対象商品を対応付けて記憶する対象商品コードテーブルと、対象商品コードテーブルにアクセスし、読取部が読み取った識別コードに対応する対象商品を判別する対象商品判別部と、対象商品判別部が判別した対象商品の購入を促す表示を行う表示部と、を備えることもできる。
【００９９】
ここで、記録媒体とは、たとえば、配布された識別コード付きのＤＭやチラシ、カード、あるいは、企業のホームページから取得した識別コードを印刷した用紙を含むことができる。
【０１００】
この構成によれば、商品に付された識別コード以外にも、予め利用者に配布されたＤＭなどの記録媒体に記録された識別コードから商品情報を取得して販売を促進させることが可能となる。たとえば、予めキャンペーン対象の商品などの識別コードを記録した記録媒体を配布することによって、自動販売機におけるキャンペーン対象の商品の購入を促進させることが可能となる。
【０１０１】
また、この自動販売機において、記録媒体は、付加情報がさらに記録され、読取部は、記録媒体から付加情報を読み取り、読取部が読み取った付加情報を記憶する付加情報記憶部を含むことができる。ここで、付加情報とは、たとえば、記録媒体を配布した会員コード、地域コード、対象性別、配布期間など様々な情報を含むことができる。この構成によれば、ＤＭなどに付加情報を記録し、自動販売機にて自動的に情報を自動的に収集することが可能となる。
【０１０２】
さらに、この自動販売機において、記録媒体から読み取られた付加情報、および実際に払い出された商品の商品情報を関連付けて販促効果情報として記憶する販促効果情報記憶部を備えることができる。この構成によれば、ＤＭなどによる販売促進の効果測定を行うための情報を自動的に収集することが可能となる。
【０１０３】
また、この自動販売機において、複数種の商品の識別コード毎に、商品のカラムを対応付けて記憶する商品カラムテーブルと、商品カラムテーブルにアクセスし、識別部が識別した提示商品と同じ商品に対応するカラムを特定し、同じ商品を自動的に払い出す自動払出部と、を含むことができる。この構成によれば、ＤＭに記録されたバーコードを提示するだけで、商品を自動的に払い出すことが可能となり、利便性がよい。
【０１０４】
また、他の実施形態において、利用者によって提示された商品の銘柄が自装置内に装填されていない銘柄であるか否かを判断する判断部を設けることもできる。そして、自装置に装填されていない銘柄である場合、自装置内の特定の商品を推奨する表示を行うこともできる。
【図面の簡単な説明】
【０１０５】
【図１】本発明の実施の形態に係る自動販売機の構成を示す概略機能ブロック図である。
【図２】本実施形態の自動販売機を示す正面図である。
【図３】図１の自動販売機の商品コードテーブルの構造の一例を示す図である。
【図４】図１の自動販売機の装填商品情報記憶部の構造の一例を示す図である。
【図５】図１の自動販売機の自動払出機能の構成を示す機能ブロック図である。
【図６】本実施形態の自動販売機の動作の一例を示すフローチャートである。
【図７】本発明の実施の形態に係る自動販売機の要部構成を示す機能ブロック図である。
【図８】図７の自動販売機の分類テーブルの構造の一例を示す図である。
【図９】図７の自動販売機の表示器テーブルの構造の一例を示す図である。
【図１０】図７の自動販売機の動作の一例を示すフローチャートである。
【図１１】本発明の実施の形態に係る自動販売機の要部構成を示す機能ブロック図である。
【図１２】図１１の履歴情報記憶部の構造の一例を示す図である。
【図１３】本発明の実施の形態に係る自動販売機の要部構成を示す機能ブロック図である。
【図１４】図１３の自動販売機の推奨商品テーブルの構造の一例を示す図である。
【図１５】図１３の自動販売機の表示動作テーブルの構造の一例を示す図である。
【図１６】図１３の自動販売機のＬＥＤ表示器およびＬＣＤ表示器の表示例を示す図である。
【図１７】図１３の自動販売機の動作の一例を示すフローチャートである。
【図１８】本発明の実施の形態に係る自動販売機の要部構成を示す機能ブロック図である。
【符号の説明】
【０１０６】
１００  自動販売機
１０２  バーコード
１０４  商品
１１０  コード読取部
１１２  商品コードテーブル
１１４  識別部
１１６  表示制御部
１１８  表示部
１２０  商品購入ボタン
１２２  代金受付部
１２４  商品購入受付部
１２６  装填商品情報記憶部
１２８  精算処理部
１３０  払出部
１３２  販売商品
１３４  タイマ部
１３６  判断部
１４０  選別部
１４２  分類テーブル
１４４  表示器テーブル
１５０  履歴取得部
１５２  履歴情報記憶部
１５４  送信部
１５６  日時
１５８  購入商品コード
１６０  判別部
１６２  推奨商品テーブル
１６４  ＬＥＤ表示器
１６６  ＬＣＤ表示器
１６８  画像ファイル記憶部
１７０  表示動作テーブル
１８０  情報取得部
１８２  効果情報記憶部
１８４  送信部
２００  推奨商品画面
２３０  商品広告画面
３００  サンプル見本部
３０２  サンプル見本
３０４  購入ボタン
３１０  札投入口
３１２  レバー
３１４  硬貨投入口
３１６  バーコード読取部
３１８  液晶表示部
３２０  釣銭口
３２２  商品搬出口
【図１】
0004417306.tif 000002
【図２】
0004417306.tif 000003
【図３】
0004417306.tif 000004
【図４】
0004417306.tif 000005
【図５】
0004417306.tif 000006
【図６】
0004417306.tif 000007
【図７】
0004417306.tif 000008
【図８】
0004417306.tif 000009
【図９】
0004417306.tif 000010
【図１０】
0004417306.tif 000011
【図１１】
0004417306.tif 000012
【図１２】
0004417306.tif 000013
【図１３】
0004417306.tif 000014
【図１４】
0004417306.tif 000015
【図１５】
0004417306.tif 000016
【図１６】
0004417306.tif 000017
【図１７】
0004417306.tif 000018
【図１８】
0004417306.tif 000019